【事件の表示】
　特願２０１８−　５０５７２「制御プログラム、制御方法及び情報処理装置」拒絶査定不服審判事件〔平成３０年　６月１４日出願公開、特開２０１８−　９２６８１、請求項の数（１３）〕について、次のとおり審決する。
【結　論】
　原査定を取り消す。
　本願の発明は、特許すべきものとする。
【理　由】
第１　手続の経緯
　本願は、平成２８年１０月１７日に出願した特願２０１６−２０３９５４号の一部を平成３０年３月１９日に新たな特許出願としたものであって、その手続の経緯は以下のとおりである。
　平成３０年１１月２８日付け：拒絶理由通知書
　平成３１年　２月　１日　　：意見書、手続補正書の提出
　令和　元年　５月２３日付け：拒絶理由通知書（最後の拒絶理由）
　令和　元年　７月２４日　　：意見書、手続補正書の提出
　令和　元年１０月２１日付け：補正の却下の決定、拒絶査定
　令和　２年　１月２２日　　：拒絶査定不服審判の請求、手続補正書の提
　　　　　　　　　　　　　　　出
第２　原査定の概要
　原査定（令和元年１０月２１日付け拒絶査定）は、この出願については、令和元年５月２３日付け拒絶理由通知書に記載した理由１によって、拒絶をすべきものである、とするものである。
　そして、令和元年５月２３日付け拒絶理由通知書に記載した理由１の概要は、次のとおりである。
　この出願の請求項１〜１３に係る発明は、以下の引用文献１〜１１に記載された発明に基づいて、その発明の属する技術の分野における通常の知識を有する者（以下、「当業者」という。）が容易に発明をすることができたものであるから、特許法第２９条第２項の規定により特許を受けることができない。
　引用文献等一覧
　１　特開２０１５−４９５３９号公報
　２　特開２００８−１８１５２３号公報
　３　特開２０１１−５３７７０号公報
　４　特開２０１０−１５７１９２号公報
　５　特開２０１６−０２４５１７号公報
　６　特開２０１０−１７６３２９号公報
　７　特開２０１６−１２２２２５号公報
　８　特開２０１５−１５８７５９号公報
　９　特開平０８−２８７２７２号公報
　１０　特開２０００−１７２３９１号公報
　１１　国際公開第２０１０／０７３３２９号
第３　本願発明
　本願請求項１〜１３に係る発明（以下、それぞれ「本願発明１」〜「本願発明１３」という。）は、令和２年１月２２日に提出された手続補正書により補正された特許請求の範囲の請求項１〜１３に記載された事項により特定される、以下のとおりの発明である（下線は補正箇所を示す。）。
　「【請求項１】
　制御部と入力操作が可能な表示部とを備えた情報処理装置を制御するプログラムであって、
　前記制御部に、
　前記表示部での
タッチ
　前記第１座標に位置する第１オブジェクトを特定し、
　前記第１座標を特定するための
タッチ
するタッチオフが検知
　　【請求項２】
　前記表示部に表示されたオブジェクトの操作を検知した場合、前記第１座標に位置する第１オブジェクトを特定し、
　前記第１座標を特定するための
タッチ
するタッチオフが検知
　　【請求項３】
　前記表示部に表示されたオブジェクトの消去指示を検知した場合、前記表示部での入力位置に応じた第１座標を取得し、
　前記第１座標を特定するための
タッチ
するタッチオフが検知
　　【請求項４】
　前記表示部に表示されたオブジェクトの選択を検知した場合、前記オブジェクトの配置位置を特定し、
　前記第１座標を特定するための
タッチ
するタッチオフが検知
　　【請求項５】
　前記オブジェクトの配置に対して、複数の操作エリアが設定されており、各操作エリアの選択に応じて、前記オブジェクトに対して異なる操作を実行することを、前記制御部に実行させる請求項４に記載の制御プログラム。
　　【請求項６】
　前記オブジェクト内の基準位置に対して、前記第２座標からの軌跡の広がり角度を算出し、前記広がり角度に基づいて、前記オブジェクトの回転操作を実行することを、前記制御部に実行させる請求項４又は５に記載の制御プログラム。
　　【請求項７】
　前記表示部において操作された操作位置のオブジェクトの属性を特定し、属性表示領域に表示し、
　操作オフの検知時に、前記属性を描画時の属性として設定することを、前記制御部に実行させる請求項１〜６の何れか一項に記載の制御プログラム。
　　【請求項８】
　前記操作位置の周囲に属性候補を出力し、
　操作オフの方向に応じて、前記属性候補の中から描画時に用いる属性を決定することを、前記制御部に実行させる請求項７に記載の制御プログラム。
　　【請求項９】
　始点と終点とが設定されたオブジェクトが選択された場合、
　前記表示部の操作位置に前記始点を設定し、
　スライド操作された操作位置に前記終点を設定して、前記オブジェクトを前記表示部に出力し、
　操作オフ時に前記オブジェクトの形状を決定することを、前記制御部に実行させる請求項１〜８の何れか一項に記載の制御プログラム。
　　【請求項１０】
　前記第１座標及び前記第２座標に基づき、前記第２座標からの軌跡を前記第２オブジェクトに補正するための補正ベクトルを算出し、
　前記補正ベクトルを、前記
タッチ
　　【請求項１１】
　前記第１座標及び前記第２座標に基づき、前記第２座標からの軌跡を前記第２オブジェクトに補正するための補正ベクトルを算出し、
　前記補正ベクトルを、前記第２座標からの軌跡の修正履歴に基づき変更することを、前記制御部に実行させる請求項１〜１０のいずれか１項に記載の制御プログラム。
　　【請求項１２】
　制御部と入力操作が可能な表示部とを備えた情報処理装置を制御する制御方法であって、
　前記制御部が、
　前記表示部での
タッチ
　前記第１座標に位置する第１オブジェクトを特定し、
　前記第１座標を特定するための
タッチ
するタッチオフが検知
　　【請求項１３】
　制御部と入力操作が可能な表示部とを備えた情報処理装置であって、
　前記制御部が、
　前記表示部での
タッチ
　前記第１座標に位置する第１オブジェクトを特定し、
　前記第１座標を特定するための
タッチ
するタッチオフが検知
第４　引用文献、引用発明等
　１　引用文献１について
（１）原査定の拒絶の理由で引用された引用文献１には、図面とともに次の事項が記載されている（下線は当審による。以下同様。）。
　ア　「【００１６】
（実施の形態１）
　図１は本発明の実施の形態１に係る描画システムを概念的に表示した概念図である。図中符号１は、本発明の実施の形態１に係る描画システムを示す。本発明の実施の形態１に係る描画システム１は、電子ホワイトボード１００と、ペン型入力器２００（描画器）とを含むように構成されている。
【００１７】
　本発明の実施の形態１に係る描画システム１において、電子ホワイトボード１００は、ペン型入力器２００からの描画に係る指示に応じて、描画の処理を行なう。
【００１８】
　また、ペン型入力器２００は、電子ホワイトボード１００と無線通信ができるように構成されている。すなわち、電子ホワイトボード１００は、後述するように、ペン型入力器２００から描画通知、第１通知及び第２通知を受信できるように構成されている。
【００１９】
　
電子ホワイトボード１００は、描画の処理によって、例えば線図の画像が表示される矩形の表示画面１０１を有する表示部１００Ａと、
ペン型入力器２００の表示画面１０１上の位置を検出し、又は表示画面１０１上の所定位置の位置指定を受け付けるタッチパネル部１００Ｂとを備えている。
【００２０】
　本発明の実施の形態１のタッチパネル部１００Ｂは、赤外線を発光する発光素子及び赤外線を受光する受光素子を備え、遮光物の位置を検出する、いわゆる赤外線遮断式タッチパネルである。【0021】
　図２は本発明の実施の形態１に係る描画システム１の電子ホワイトボード１００の要部構成を示す機能ブロック図である。
【００２２】
　表示部１００Ａは、例えばＬＣＤ又はＥＬ（Electroluminescence）パネル等の表示画面１０１を備え、ペン型入力器２００から送信される描画に係る指示、及び、タッチパネル部１００Ｂによるペン型入力器２００の位置の検出の結果に基づいて、文字、線図を表示画面１０１に表示する。また、タッチパネル部１００Ｂは走査部９を備えている。
【００２３】
　
その他、電子ホワイトボード１００は、制御部１０と、ＲＯＭ２と、ＲＡＭ３、通信部５、記憶部６とを備えており
【００２４】
　制御部１０は、走査部９による走査結果に係る座標に基づき、文字、線図等の描画を表示部１００Ａに指示し、表示部１００Ａは該指示に応じて表示画面１０１に文字、線図等を表示する。
【００２５】
　ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００２６】
　
制御部１０は、
制御プログラムをＲＡＭ３上にロードして実行することによって、
電子ホワイトボード１００を機能させる。
　イ　「【００７０】
　図６は本発明の実施の形態１に係る描画システム１における、電子ホワイトボード１００にて行なわれる描画の処理を説明するフローチャートである。図７は本発明の実施の形態１に係る描画システム１において行なわれるカーソルの制御を説明する説明図であり、図８は本発明の実施の形態１に係る描画システム１において行なわれる描画の処理を説明する説明図である。
【００７１】
　
ユーザが、例えば、電子ホワイトボード１００の表示画面１０１上であって、近い何れかの隅にペン型入力器２００の先端をタッチした場合、タッチパネル部１００Ｂの走査部９の走査結果に基づいて、座標検出部１２が斯かるタッチ位置の座標を検出する
　（・・・中略・・・）
【００７５】
　また、判定部１７は、ペン型入力器２００から前記描画通知を受信したと判定した場合（ステップＳ１０２：ＹＥＳ）、すなわち、ペン型入力器２００から前記描画通知が受信され、
座標検出部１２により表示画面１０１上でのペン型入力器２００の座標が検出された場合、表示制御部１５は、表示画面１０１上でのペン型入力器２００の位置を除く他の位置にカーソルＣを表示する
　（・・・中略・・・）
【００７８】
　一方、
カーソルＣの移動軌跡に応じて線図の描画を行うことのみを望んでいる場合、ユーザは第２ボタン２０２を押したまま、ペン型入力器２００の先を表示画面１０１にタッチする。
　ウ　「【００９５】
　次いで、
ＣＰＵ１１は、座標検出部１２の座標検出の結果に基づき、ペン型入力器２００が移動しているか否かを判定する
【００９６】
　一方、ＣＰＵ１１により、
ペン型入力器２００が移動していると判定された場合
移動制御部１６が、表示画面１０１に表示されているカーソルＣを移動させ、また、カーソルＣの斯かる移動軌跡に沿って、描画部１４が表示画面１０１に線画の描画を行なう
【００９７】
　すなわち、図８（Ｂ）にて示しているように、ユーザが第２ボタン２０２を押したまま、ペン型入力器２００を最初のタッチ位置から図面視右方向に所定距離移動させる操作を行なった場合、移動制御部１６は、ペン型入力器２００の移動に沿って、カーソルＣを最初の位置から右方向に所定距離移動させる。
【００９８】
　この際、描画部１４がカーソルＣの移動軌跡に沿って、表示画面１０１に、線画の描画を行ない、その結果、水平直線が表示される。
【００９９】
　一方、このような
描画操作の後、ユーザがペン型入力器２００を表示画面１０１から一旦離した後、再び描画を行なうために、ペン型入力器２００を移動させる場合
【０１００】
　このような場合は、再び、ユーザがペン型入力器２００の第２ボタン２０２を押しながら、ペン型入力器２００の先端を表示画面１０１にタッチする操作を行ない、上述したような、ステップＳ１０１からステップＳ１０３までの処理が行われる（図８（Ｃ）参照）。
【０１０１】
　続いて、例えば、図８（Ｄ）にて示しているように、ユーザが第２ボタン２０２を押したまま、ペン型入力器２００を最初のタッチ位置から図面視下方向に所定距離移動させる操作を行なう。この際、
移動制御部１６は、ペン型入力器２００の移動に沿って、カーソルＣをその際の現在の表示位置から
移動させる。また、描画部１４は、この際のカーソルＣの移動軌跡に沿って、表示画面１０１に、線画の描画を行なう。
　エ　「【図８】
」
（２）上記（１）から、引用文献１には次の発明（以下、「引用発明」という。）が記載されていると認められる。
　「描画の処理によって、例えば線図の画像が表示される矩形の表示画面１０１を有する表示部１００Ａと、ペン型入力器２００の表示画面１０１上の位置を検出し、又は表示画面１０１上の所定位置の位置指定を受け付けるタッチパネル部１００Ｂとを備える電子ホワイトボード１００であって、
　その他、電子ホワイトボード１００は、制御部１０と、ＲＯＭ２と、ＲＡＭ３、通信部５、記憶部６とを備えており、
　制御部１０は、制御プログラムをＲＡＭ３上にロードして実行することによって電子ホワイトボード１００を機能させ、
　ユーザが、例えば、電子ホワイトボード１００の表示画面１０１上であって、近い何れかの隅にペン型入力器２００の先端をタッチした場合、タッチパネル部１００Ｂの走査部９の走査結果に基づいて、座標検出部１２が斯かるタッチ位置の座標を検出し、
　座標検出部１２により表示画面１０１上でのペン型入力器２００の座標が検出された場合、表示制御部１５は、表示画面１０１上でのペン型入力器２００の位置を除く他の位置にカーソルＣを表示し、
　カーソルＣの移動軌跡に応じて線図の描画を行うことのみを望んでいる場合、ユーザは第２ボタン２０２を押したまま、ペン型入力器２００の先を表示画面１０１にタッチし、
　ＣＰＵ１１は、座標検出部１２の座標検出の結果に基づき、ペン型入力器２００が移動しているか否かを判定し、
　ペン型入力器２００が移動していると判定された場合、移動制御部１６が、表示画面１０１に表示されているカーソルＣを移動させ、また、カーソルＣの斯かる移動軌跡に沿って、描画部１４が表示画面１０１に線画の描画を行い、
　描画操作の後、ユーザがペン型入力器２００を表示画面１０１から一旦離した後、再び描画を行なうために、ペン型入力器２００を移動させる場合、移動制御部１６は、ペン型入力器２００の移動に沿って、カーソルＣをその際の現在の表示位置から移動させ、また、描画部１４は、この際のカーソルＣの移動軌跡に沿って、表示画面１０１に、線画の描画を行なう、
電子ホワイトボード１００。」
　２　引用文献２について
（１）原査定の拒絶の理由で引用された引用文献２には、図面とともに次の事項が記載されている。
　ア　「【００４１】
　図３Ａないし図３Ｂは本発明の実施形態によるユーザの第１タッチ過程を図示した図面である。図３Ａは
位置基盤サービス機器３１０
【００４２】
　図３Ｂは図３Ａに図示された
特定地点３２１をユーザが指３３０でタッチした、すなわち第１タッチの接触位置３２１
第１タッチの接触位置３２１を把握する。
【００４３】
　図３Ｃは本発明の実施形態による
ポインタ設定
タッチ感知部２０１で把握された第１タッチの接触位置３２１にポインタ３２２を設定する。
【００４４】
　参考として、図３Ｃでみるようにユーザの指３３０は第１タッチの接触位置３２１で分離されていることが分かる。
【００４５】
　
ポインタ設定部２０２でポインタ３２２を設定する、すなわち第１タッチの接触位置３２１にポインタ３２２を位置させる時点は、ユーザが第１タッチ後第１タッチの接触位置３２１から接触を解除したり、ユーザが第１タッチ後所定の距離ほど第１タッチの接触位置３２１を移動させる時、ポインタ設定部２０２は第１タッチの最初の接触位置３２１にポインタを設定する。
　イ　「【図３Ｃ】
」
（２）上記（１）から、引用文献２には次の発明が記載されていると認められる。
　「特定地点３２１をユーザが指３３０でタッチした、第１タッチの接触位置３２１を把握し、
　タッチ感知部２０１で把握された第１タッチの接触位置３２１にポインタ３２２を設定し、
　ポインタ設定部２０２でポインタ３２２を設定する、すなわち第１タッチの接触位置３２１にポインタ３２２を位置させる時点は、ユーザが第１タッチ後第１タッチの接触位置３２１から接触を解除したり、ユーザが第１タッチ後所定の距離ほど第１タッチの接触位置３２１を移動させる時である、
　位置基盤サービス機器３１０。」
第５　対比・判断
　１　本願発明１について
（１）対比
　ア　本願発明１と引用発明とを対比すると、以下のことがいえる。
（ア）引用発明の「制御部１０」、「電子ホワイトボード１００」、「制御プログラム」は、それぞれ本願発明１の「制御部」、「情報処理装置」、「（制御）プログラム」に相当する。
（イ）引用発明の「表示部１００Ａ」は「表示画面１０１を有」し、「タッチパネル部１００Ｂ」は「ペン型入力器２００の表示画面１０１上の位置を検出し、又は表示画面１０１上の所定位置の位置指定を受け付ける」ものであるから、「表示部１００Ａ」及び「タッチパネル部１００Ｂ」からなる構成は、全体として「入力操作が可能」であり、本願発明１の「表示部」に相当する。
（ウ）引用発明は、「電子ホワイトボード１００の表示画面１０１上であって、近い何れかの隅にペン型入力器２００の先端をタッチした場合、タッチパネル部１００Ｂの走査部９の走査結果に基づいて、座標検出部１２が斯かるタッチ位置の座標を検出し」、「座標検出部１２により表示画面１０１上でのペン型入力器２００の座標が検出された場合、表示制御部１５は、表示画面１０１上でのペン型入力器２００の位置を除く他の位置にカーソルＣを表示」するものであり、ここで、「表示画面１０１上でのペン型入力器２００の位置を除く他の位置」は、「検出し」た「タッチ位置」に「応じた」ものであるといえ、本願発明１の「第１座標」に相当する。
　また、「カーソルＣを表示」するために当該「他の位置」が「特定」されることが明らかである。
（エ）引用発明は、「カーソルＣの移動軌跡に応じて線図の描画を行うことのみを望んでいる場合、ユーザは第２ボタン２０２を押したまま、ペン型入力器２００の先を表示画面１０１にタッチ」するものであるところ、ここでの「タッチ」は、「他の位置にカーソルＣを表示」するための「タッチ」とは異なる新たな「タッチ」である、すなわち、「他の位置にカーソルＣを表示」するための「タッチ操作」を「解除するタッチオフが検知された後に入力された」ものであると理解でき、当該新たな「タッチ」がなされた「表示画面１０１」上の座標は、本願発明１の「第２座標」に相当する。
（オ）引用発明は、「ペン型入力器２００が移動していると判定された場合、移動制御部１６が、表示画面１０１に表示されているカーソルＣを移動させ、また、カーソルＣの斯かる移動軌跡に沿って、描画部１４が表示画面１０１に線画の描画を行」うものであるところ、ここでの「移動軌跡」は、「他の位置」を出発点とすることが明らかであり、本願発明１の「軌跡」に相当する。
　また、「線画」の「描画」は、上記「移動軌跡」に「応じた」ものであるといえ、本願発明１の「第２オブジェクト」を「生成する」ことに相当する。
（カ）引用発明では、「制御部１０は、制御プログラムをＲＡＭ３上にロードして実行することによって電子ホワイトボード１００を機能させ」ることが行われるところ、「制御プログラム」は、「電子ホワイトボード１００を機能させ」る具体的な処理として、「座標を検出」することや「線画の描画」を「制御部１０」に「実行させる」ことが明らかであって、本願発明１の「（制御）プログラム」に相当する。
（キ）本願明細書の段落【００４５】の
　「完成した線画２４１に対して、新たな線画を生成する場合には、再度、描画開始位置の設定処理（ステップＳ１−２）から繰り返す。 例えば、図６に示すように、最初の線画２４１に接続した新たな線画を描く場合には、接続位置をタップすることにより、描画開始位置２４２を設定する。そして、再度、描画エリア２２０のいずれかの場所をタッチし、この操作開始位置を始点とするスライド軌跡２４３で指をスライドさせる。この場合、新たな線画２４４が生成される。」
との記載によれば、「接続位置をタップする」操作を行う時点で、既に「最初の線画２４１」は表示された状態である。この点を踏まえると、本願発明１の「前記第１座標に位置する第１オブジェクトを特定」するとは、既に「第１座標に位置する」「第１オブジェクト」、すなわち表示済みの「第１オブジェクト」を「特定」することであるものと解される。
　これに対し、引用発明において、「表示画面１０１上でのペン型入力器２００の位置を除く他の位置にカーソルＣを表示」することは、「カーソルＣ」を新たに「表示」することであって、表示済みのものに対する操作ではないから、本願発明１の「前記第１座標に位置する第１オブジェクトを特定」することに相当するとはいえない。
　また、引用発明において、「描画部１４が表示画面１０１に線画の描画を行」うことは、「カーソルＣ」の「移動軌跡に沿って」行われるものであって、「描画」後に「カーソルＣ」が「線画」の終点に移動するから、「線画」の「描画」は、前記「他の位置」に位置する前記「カーソルＣ」から行われるものであるとはいえない。
（ク）なお、引用発明は、「描画操作の後、ユーザがペン型入力器２００を表示画面１０１から一旦離した後、再び描画を行なうために、ペン型入力器２００を移動させる場合、移動制御部１６は、ペン型入力器２００の移動に沿って、カーソルＣをその際の現在の表示位置から移動させ、また、描画部１４は、この際のカーソルＣの移動軌跡に沿って、表示画面１０１に、線画の描画を行なう」ものであるところ、上記（オ）とは別に、「描画操作の後」に「再び描画を行なう」ことで「線画の描画を行なう」ことが、本願発明１の「第２オブジェクト」を「生成する」ことに相当する、とみることもでき、その場合は、「再び描画を行なう」前の最初の「描画操作」による「線画」が、本願発明１の「第１オブジェクト」に相当することとなる。
　しかしながら、上記（キ）の本願明細書の記載を踏まえると、結局、上記最初の「描画操作」による「線画」の表示は、本願発明１の「前記第１座標に位置する第１オブジェクトを特定」することに相当するとはいえない。
　イ　上記ア（ア）〜（キ）によれば、本願発明１と引用発明とは以下の点で一致する。
　（一致点）
　「制御部と入力操作が可能な表示部とを備えた情報処理装置を制御するプログラムであって、
　前記制御部に、
　前記表示部でのタッチ位置に応じた第１座標を特定し、
　前記第１座標を特定するためのタッチ操作を解除するタッチオフが検知された後に入力された第２座標からの軌跡に応じて描画された第２オブジェクトを生成すること、を実行させることを特徴とする制御プログラム。」
　ウ　また、本願発明１と引用発明とは以下の点で相違する。
　（相違点１）
　本願発明１では、「前記制御部」に「実行させる」処理が「前記第１座標に位置する第１オブジェクトを特定」することを含むのに対し、引用発明では、「制御部１０」がそのような処理が実行するものではない点。
　（相違点２）
　本願発明１では、「第２オブジェクト」が、「前記第１座標に位置する前記第１オブジェクトから描画された」ものであるのに対し、引用発明では、「カーソルＣの移動軌跡に沿って、表示画面１０１に、線画の描画を行なう」ことについて、「前記第１座標に位置する前記第１オブジェクトから」であるとの特定がない点。
（２）判断
　そこで、まず相違点１について検討する。
　引用発明は、「カーソルＣ」の「移動軌跡に沿って」、「線画の描画を行」うものであって、その「描画」を開始するにあたり、既に「描画」されて表示済みとなっている「線画」が位置する座標を「特定」すべきことについて、何ら示唆するものではない。実際、引用文献１には、当該座標を「特定」することの必要性については記載も示唆もされていない。
　したがって、仮に、表示済みの「オブジェクト」を「特定」することが本願の出願日前に公知の技術であったとしても、当該技術の構成を引用発明に適用する動機付けはない。
　そして、この点は、原査定の拒絶の理由で引用された引用文献２〜１１の各記載事項とは無関係である。なお、引用文献２については、上記第５の２（２）の発明が記載されていると認められるが、当該発明における「ポインタ設定部２０２でポインタ３２２を設定する、すなわち第１タッチの接触位置３２１にポインタ３２２を位置させる」ことは、「第１タッチの接触位置３２１」に「ポインタ３２２」を新たに表示することであって、表示済みのものに対する操作ではないから、上記（１）ア（キ）と同様に、本願発明１の「前記第１座標に位置する第１オブジェクトを特定」することに相当するとはいえない。
　よって、相違点２について判断するまでもなく、本願発明１は、当業者であっても引用文献１〜１１に記載された発明に基づいて容易に発明をすることができたものであるとはいえない。
　２　本願発明２〜１３について
　本願発明２〜１１は、本願発明１を減縮した発明である。
　また、本願発明１２，１３は、いずれも本願発明１と発明のカテゴリが相違するのみである。
　よって、本願発明２〜１３も、本願発明１と同様の理由により、当業者であっても引用文献１〜１１に記載された発明に基づいて容易に発明をすることができたものであるとはいえない。
第６　原査定について
　本願発明１〜１３は、相違点１に係る「前記第１座標に位置する第１オブジェクトを特定」するとの構成を有している。
　そして、本願発明１〜１３が当業者であっても引用文献１〜１１に記載された発明に基づいて容易に発明をすることができたものであるとはいえないことは、上記第５のとおりである。
　したがって、原査定の理由を維持することはできない。
第７　むすび
　以上のとおり、原査定の理由によって、本願を拒絶することはできない。
　また、他に本願を拒絶すべき理由を発見しない。
　よって、結論のとおり審決する。